(57)【要約】      （修正有）【課題】ユーザが次に入力したいものが変換候補として変換候補ウィンドウに高精度で表示される通信端末装置を提供する。【解決手段】通信端末装置１００は、文字入力可能な操作部１０６と、入力された文字列から変換候補を表示する文字列変換部（制御部１０２）と、ネットワークに接続して通信可能な通信部１１０と、メールアドレスとそのメールアドレスを有するユーザが投稿記事を掲載するネットワークサービスのＵＲＬを関連づけて格納するアドレス帳１１４と、通信部１１０を介してメールの送受信を行うメールアプリ１１６とを備え、文字列変換部は、メールアプリ１１６において指定された送信先のメールアドレスを取得し、アドレス帳１１４においてそのメールアドレスに関連づけられたＵＲＬから投稿記事を取得し、変換候補を表示する際に投稿記事に含まれる文字列を優先的に表示する。【選択図】図１
2013242682.tif 000002
【特許請求の範囲】
【請求項１】
文字入力可能な操作部と、
入力された文字列の変換候補を表示する文字列変換部と、
ネットワークに接続して通信可能な通信部と、
メールアドレスとそのメールアドレスを有するユーザが投稿記事を掲載するネットワークサービスのＵＲＬとを関連づけて格納するアドレス帳と、
前記通信部を介してメールの送受信を行うメールアプリとを備え、
前記文字列変換部は、前記メールアプリにおいて指定された送信先のメールアドレスを取得し、前記アドレス帳においてそのメールアドレスに関連づけられたＵＲＬから投稿記事を取得し、変換候補を表示する際に該投稿記事に含まれる文字列を優先的に表示することを特徴とする通信端末装置。
【請求項２】
読みと、単語と、変換候補を表示する際の優先度とを関連づけて格納した変換辞書をさらに備え、
前記文字列変換部が、前記取得した投稿記事に含まれる単語の前記変換辞書の優先度を上げることを特徴とする請求項１に記載の通信端末装置。
【請求項３】
読みと、単語と、その単語が属するグループと、変換候補を表示する際の優先度とを関連づけて格納した変換辞書をさらに備え、
前記文字列変換部が、前記取得した投稿記事に含まれる単語が属するグループを特定し、該グループに属する単語の前記変換辞書の優先度を上げることを特徴とする請求項１に記載の通信端末装置。
【請求項４】
前記投稿記事を記憶する投稿記事記憶部をさらに備え、
前記文字列変換部が、予め前記アドレス帳の前記ＵＲＬから投稿記事を取得して前記投稿記事記憶部に該投稿記事を記憶しておき、メールアプリにおいて指定された送信先のメールアドレスを取得すると該投稿記事記憶部を参照してそのメールアドレスに関連づけられたＵＲＬの投稿記事を取得することを特徴とする請求項１から３のいずれか１項に記載の通信端末装置。
【発明の詳細な説明】
【技術分野】
【０００１】
本発明は、文字列変換機能を有する通信端末装置に関する。
【背景技術】
【０００２】
入力したアルファベットやかな文字を、かな文字や漢字、その他の文字列に変換する文字列変換機能は、コンピュータ、携帯電話やＰＤＡ、その他の様々な装置に搭載されている。また、昨今の携帯端末等の通信端末装置には、予測変換機能が搭載されている。
【０００３】
予測変換機能は、入力された文字列から次に入力されるものを予測し、それを変換候補として変換候補ウィンドウに表示する。例えば「あ」という文字列（文字）の入力によって、「ありがとう」、「あの」、「赤」、「青空」等の変換候補が変換候補ウィンドウに表示される。変換候補ウィンドウに表示されたものはユーザが確定することで（タッチパネルの場合タッチすることで）、本文に入力することができる。したがって、予測変換機能によれば、より少ない操作（キータッチ）で所望の文字列の入力を完了することができる。
【０００４】
予測変換機能では、通常、入力された文字列と前方一致するものを変換候補として抽出し、抽出されたものをその優先度の順に変換候補ウィンドウに表示する。例えばＭＲＵ（Most Recently Used）法では、直近において使用された文字列の優先度を上げることで、直近において使用されたものを変換候補として抽出した場合にそれを変換候補ウィンドウに表示する。ＭＦＵ（Most Frequently Used）法では、直近において使用されたか否かではなく頻繁に使用されているものの優先度を上げ、それを変換候補ウィンドウに表示する。
【０００５】
一方、それぞれの変換候補（文字列）にグループを設定し、グループ毎に優先度を上げる技術も提案されている。例えば特許文献１には、「サッカー」というグループに属する「オフサイドトラップ」という文字列が入力された場合に、「サッカー」というグループに属する「ゴール」、「ワールドカップ」、「スルーパス」等の文字列の優先度を上げる技術が開示されている。
【０００６】
また特許文献２には、変換候補に「尊敬（尊敬表現）」、「丁寧（丁寧表現）」、「普通（普通表現）」のグループを設定すると共に、メール機能の実行中に指定された送信先メールアドレスがアドレス帳にある場合にそのメールアドレスを有する所定ユーザの分類情報（上司、取引先、友達等）を取得し、その分類情報に基いて「尊敬」、「丁寧」、「普通」のいずれかのグループの優先度を上げる技術が開示されている。特許文献３には、性別・年齢・職業といったユーザ属性に応じて、それぞれの変換候補の優先度を変更する技術が開示されている。
【先行技術文献】
【特許文献】
【０００７】
【特許文献１】特開２００８−１１２２２０号公報
【特許文献２】特開２００８−１５８９４９号公報
【特許文献３】特開２０１１−２０９９１７号公報
【発明の概要】
【発明が解決しようとする課題】
【０００８】
上述した予測変換機能では、ユーザが次に入力したいものが変換候補として変換候補ウィンドウに表示されるのが理想である。特許文献１から３の技術は、これを実現するための技術であるがそれぞれ充分とは言い難い。特許文献１の技術では、「サッカー」というグループに属する文字列の優先度を上げるためには、そのグループに属する文字列を入力しなければならない。すなわち、ユーザによる文字入力がなければ、何ら通常の予測変換機能と変わらない。特許文献２の技術では送信先メールアドレスに応じて「尊敬」、「丁寧」、「普通」のいずれかのグループの優先度を上げるが、これは敬語表現に関するものに過ぎない。すなわち、本文の主要な内容に係わる変換候補を変換候補ウィンドウに表示させることはできない。特許文献３の技術では、性別・年齢・職業といったユーザ属性に応じてそれぞれの変換候補の優先度を変更しているが、同じユーザ属性を持つ相手であってもその相手によって本文に記載する内容は千差万別であるため、一律にくくることは妥当ではない。
【０００９】
本発明は、このような課題に鑑みてなされたものであり、ユーザが次に入力したいものが変換候補として変換候補ウィンドウに高精度で表示される通信端末装置を提供することを目的とする。
【課題を解決するための手段】
【００１０】
上記課題を解決するために本発明による通信端末装置の代表的な構成は、文字入力可能な操作部と、入力された文字列の変換候補を表示する文字列変換部と、ネットワークに接続して通信可能な通信部と、メールアドレスとそのメールアドレスを有するユーザが投稿記事を掲載するネットワークサービスのＵＲＬとを関連づけて格納するアドレス帳と、通信部を介してメールの送受信を行うメールアプリとを備え、文字列変換部は、メールアプリにおいて指定された送信先のメールアドレスを取得し、アドレス帳においてそのメールアドレスに関連づけられたＵＲＬから投稿記事を取得し、変換候補を表示する際に投稿記事に含まれる文字列を優先的に表示することを特徴とする。
【００１１】
当該通信端末装置は、読みと、単語と、変換候補を表示する際の優先度とを関連づけて格納した変換辞書をさらに備え、文字列変換部が、取得した投稿記事に含まれる単語の変換辞書の優先度を上げてもよい。
【００１２】
当該通信端末装置は、読みと、単語と、その単語が属するグループと、変換候補を表示する際の優先度とを関連づけて格納した変換辞書をさらに備え、文字列変換部が、取得した投稿記事に含まれる単語が属するグループを特定し、グループに属する単語の変換辞書の優先度を上げてもよい。
【００１３】
当該通信端末装置は、投稿記事を記憶する投稿記事記憶部をさらに備え、文字列変換部が、予めアドレス帳のＵＲＬから投稿記事を取得して投稿記事記憶部に投稿記事を記憶しておき、メールアプリにおいて指定された送信先のメールアドレスを取得すると投稿記事記憶部を参照してそのメールアドレスに関連づけられたＵＲＬの投稿記事を取得するとしてもよい。
【発明の効果】
【００１４】
本発明によれば、ユーザが次に入力したいものが変換候補として変換候補ウィンドウに高精度で表示される通信端末装置を提供することができる。
【図面の簡単な説明】
【００１５】
【図１】第１実施形態にかかる通信端末装置の概略構成を示すブロック図である。
【図２】図１の変換辞書を例示する図である。
【図３】図１の通信端末装置による予測変換方法を例示するフローチャートである。
【図４】図１のメールアプリ実行時の表示画面を例示する図である。
【図５】図１のアドレス帳の表示画面を例示する図である。
【図６】図５のＵＲＬの投稿記事を例示する図である。
【図７】図４の本文入力の際の表示画面を例示する図である。
【図８】図１の変換辞書の他の例について例示する図である。
【図９】第２実施形態にかかる通信端末装置の概略構成を示すブロック図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
[第１実施形態]
図１は、第１実施形態にかかる通信端末装置１００の概略構成を示すブロック図である。図１に示すように、通信端末装置１００は、中央処理装置（ＣＰＵ）を含んで構成される制御部１０２と、各種メモリで構成される記憶部１０４とを備える。また通信端末装置１００は、文字入力可能な操作部１０６と、ユーザに画像を表示する表示部１０８と、ネットワークに接続して通信可能な通信部１１０と、バッテリ１１２とを備える。なお、通信端末装置１００としては、携帯電話、ＰＨＳ端末、ＰＤＡ（Personal Digital Assistant）、パーソナルコンピュータ等が例示される。
【００１８】
制御部１０２は、入力された文字列から変換候補を表示する文字列変換部として機能する。記憶部１０４は、アドレス帳１１４やメールアプリ（メールアプリケーション）１１６等のプログラムを格納する。また記憶部１０４は予測変換機能に利用される変換辞書１１８を格納する。
【００１９】
図２は、変換辞書１１８を例示する図である。図２に例示するように、変換辞書１１８は、読みと、単語と、その単語が属するグループと、変換候補を表示する際の優先度とを関連づけて格納する。
【００２０】
操作部１０６は、タッチパネル、キーボード、十字キー、ジョイスティック等で構成され、ユーザの操作入力を受け付ける。表示部１０８は、液晶ディスプレイやＥＬ(Electro Luminescence)ディスプレイ等とそのコントローラで構成され、ユーザに画像を表示する。通信部１１０は、ＬＴＥやＣＤＭＡ、ＷｉＭＡＸ（Worldwide Interoperability for Microwave Access）等の所定の無線通信方式または所定の有線通信方式により、無線通信または有線通信を実行する。バッテリ１１２は、リチウムイオン二次電池等で構成される。
【００２１】
図３は、通信端末装置１００による予測変換方法を例示するフローチャートである。以下、図３のフローチャートに則って、通信端末装置１００が実行する予測変換方法について例示する。
【００２２】
通信端末装置１００では、制御部１０２がメールアプリ１１６を起動して、ユーザが操作部１０６を通じて送信先のメールアドレスを入力（選択）すると、制御部１０２（文字列変換部）がその送信先のメールアドレスを取得する（ステップＳ２００）。図４は、メールアプリ１１６実行時の表示画面を例示する図である。
【００２３】
図４に例示するように、メールアプリ１１６実行時の表示画面には、宛先１２４、Ｃｃ/Ｂｃｃ１２６、件名１２８、本文１３０が表示される。制御部１０２は例えば宛先１２４に入力されたメールアドレスを取得する。そして、制御部１０２（文字列変換部）は、この取得したメールアドレスがアドレス帳１１４にあるか否かを判定する（ステップＳ２０２）。
【００２４】
図５は、アドレス帳１１４の表示画面を例示する図である。図５に例示するように、アドレス帳１１４は、ユーザの名前とそのユーザのメールアドレスとそのユーザが投稿記事１２０（図６参照）を掲載するネットワークサービスのＵＲＬとを関連づけて格納可能となっている。制御部１０２（文字列変換部）は、取得したメールアドレスがアドレス帳１１４にある場合には（ステップＳ２０２Ｙｅｓ）、そのメールアドレスを有するユーザについてのＵＲＬがあるか否かを判定する（ステップＳ２０４）。
【００２５】
なお、そのユーザが投稿記事１２０を掲載するネットワークサービスとは、例えばソーシャル・ネットワーキング・サービス、ウェブログ、個人用ウェブページなどである。
【００２６】
図６は、図５のＵＲＬの投稿記事１２０を例示する図である。図６に例示するように、制御部１０２（文字列変換部）はそのユーザのＵＲＬがアドレス帳にあって（ステップＳ２０４Ｙｅｓ）そのユーザの投稿記事１２０にリンクしている場合には、通信部１１０を通じてその投稿記事１２０を取得する（ステップＳ２０６Ｙｅｓ）。
【００２７】
そして、制御部１０２（文字列変換部）は、本文１３０または件名１２８を入力する際に、予測変換機能によって変換候補を表示する時に投稿記事１２０に含まれる文字列を優先的に表示させるようにする（ステップＳ２０８）。ここでは投稿記事１２０に含まれる文字列だけでなく、投稿記事１２０に含まれる文字列（単語）が属するグループを優先的に表示させるようにする。以下、その方法について具体例を例示して説明する。
【００２８】
図２に例示するように、変換辞書１１８は、読みと、単語と、その単語が属するグループと、変換候補を表示する際の優先度（ベース優先度、適用優先度）とを関連づけて格納している。通信端末装置１００では、制御部１０２が取得した投稿記事１２０に含まれる単語が属するグループを特定し、そのグループについて変換辞書１１８の優先度を上げる。
【００２９】
ここでそのグループについて優先度を上げる際に基準となる優先度を書き換えてしまうと元に戻せなくなってしまうため、ベース優先度の書き換えはせず、適用優先度を書き換えるようにする。予測変換機能によって変換候補を表示する時には、制御部１０２はかかる適用優先度の順に変換候補を表示する。すなわち、ベース優先度は通常の予測変換機能を実施する場合の優先度であって、ステップＳ２０８の優先度の変更が行われない場合には適用優先度と一致する。
【００３０】
ここでは投稿記事１２０に「昨日」、「サッカー」という単語が含まれているので、「日時」、「サッカー」といったグループの適用優先度が上げられる。したがって、「日時」のグループに属する「明日」等、「サッカー」のグループに属する「アウェイ」、「アシスト」等の適用優先度が上げられる。
【００３１】
図７は、図４の本文１３０入力の際の表示画面を例示する図である。図７（ａ）はステップＳ２０８の優先度変更を行った場合の表示画面を例示する図である。図７（ａ）に例示するように、ステップＳ２０８の後に文字入力が検出されると（ステップＳ２１０Ｙｅｓ）、送信先のユーザの投稿記事１２０に関連する変換候補が表示部１０８上の変換候補ウィンドウ１２２に表示される（ステップＳ２１２）。
【００３２】
例えば「あ」という文字列（文字）が操作部１０６を通じて入力された場合、制御部１０２は入力された「あ」と前方一致するものを変換辞書１１８から変換候補として抽出し、適用優先度の順に変換候補を表示部１０８上の変換候補ウィンドウ１２２に表示する。ここではステップＳ２０８によって、「日時」、「サッカー」のグループに属するものの適用優先度が上げられているため、変換候補ウィンドウ１２２に「アウェイ」、「アシスト」、「明日」等が表示される。
【００３３】
図７（ｂ）は図７（ａ）に例示する表示画面において本文１３０の入力を進め、本文１３０の入力を完了した図である。図７（ａ）、（ｂ）に例示するように、変換候補ウィンドウ１２２に表示された変換候補は確定することで（タッチパネルの場合タッチすることで）入力することができる。したがって、本文１３０の入力が完了するまで（ステップＳ２１４Ｙｅｓまで）、ステップＳ２１０、Ｓ２１２を繰り返して予測変換機能を充分に活用することができる。これにより、より少ない操作（キータッチ）で所望の文書の入力を完了することができる。
【００３４】
図７（ｃ）はステップＳ２０８の優先度変更を行っていない場合の表示画面を例示する図である。制御部１０２が取得したメールアドレスがアドレス帳１１４にない場合（ステップＳ２０２Ｎｏ）、ＵＲＬがアドレス帳にない場合（ステップＳ２０４Ｎｏ）、投稿記事１２０を取得できない場合（ステップＳ２０６Ｎｏ）には、ステップＳ２０８の優先度の変更は行われない。
【００３５】
優先度の変更が行われていない状態で文字入力が検出された場合には（ステップＳ２１０Ｙｅｓ）、通常の予測変換機能の態様で変換候補が変換候補ウィンドウ１２２に表示される（ステップＳ２１０）。図７（ｃ）に例示するように、例えば「あ」という文字列（文字）が操作部１０６を通じて入力された場合、表示部１０８上の変換候補ウィンドウ１２２に当初から優先度の高いものが表示される。ここでは変換候補ウィンドウ１２２に「ありがとう」、「あの」、「赤」、「青空」等が表示される。
【００３６】
なお、上記では本文１３０の入力について例示したが、件名１２８の入力についても同様の説明が適用される。
【００３７】
上述した通信端末装置１００によれば、送信先のユーザが興味を示している話題（ここでは「サッカー」等）に関係する変換候補を変換候補ウィンドウ１２２に表示させることができる。送信先のユーザが興味を示している話題は高い確率でメールに記載されるものと考えられるので、これにより使い勝手の良い予測変換機能を実現することができる。すなわち通信端末装置１００によれば、ユーザが次に入力したいものを変換候補ウィンドウ１２２に高精度で表示させることができる。
【００３８】
なお上記では投稿記事１２０に含まれる文字列だけでなく、投稿記事１２０に含まれる文字列が属するグループを優先的に表示させるようにし、送信先のユーザが興味を示している話題に関係する変換候補を全て変換候補ウィンドウ１２２に表示させるようにしている。しかし投稿記事１２０に含まれる文字列だけを優先的に表示させるようにしてもよい。この場合には、変換辞書１１８には単語毎のグループを関連づけて記憶する必要はない。
【００３９】
図８は、変換辞書１１８の他の例（変換辞書２１８）について例示する図である。図８（ａ）がその変換辞書２１８について例示する図であり、図８（ｂ）が優先度変更テーブル２２０について例示する図である。
【００４０】
図８（ａ）に例示する変換辞書２１８を利用し、上記とは異なる手法で投稿記事１２０に含まれる文字列が属するグループを優先的に表示させることも可能である。具体的には、図８（ｂ）に例示される、投稿記事１２０に含まれる単語が属するグループを特定した優先度変更テーブル２２０を記憶部１０４が有し、制御部１０２が、文字入力が検出された時点で優先度変更テーブル２２０を逐一参照する。そして、優先度変更テーブル２２０に記憶されたグループの優先度を上げて、変換候補ウィンドウ１２２に表示させる変換候補を抽出する。よってかかる構成では、変換辞書２１８の優先度は書き換えられない。
【００４１】
[第２実施形態]
図９は、第２実施形態にかかる通信端末装置３００の概略構成を示すブロック図である。第２実施形態にかかる通信端末装置３００は投稿記事記憶部３３２を備える点で、第１実施形態にかかる通信端末装置１００と相違する。
【００４２】
通信端末装置３００では、制御部１０２が予めアドレス帳１１４のＵＲＬから通信部１１０を通じて投稿記事１２０を取得して、すなわちバックグラウンドで自動巡回して投稿記事記憶部３３２に各投稿記事１２０を記憶しておく。この際、制御部１０２は日付情報等で投稿記事１２０が更新されているか否かを確認して、更新されていた場合にのみ投稿記事をダウンロードするとよい。
【００４３】
メールアプリ１１６が起動され、制御部１０２が送信先のメールアドレスを取得すると、制御部１０２は投稿記事記憶部３３２を参照してそのメールアドレスに関連づけられたＵＲＬの投稿記事１２０（すなわちその送信先の人物の投稿記事１２０）を取得する。そして、この取得した投稿記事１２０に基き制御部１０２が変換辞書１１８の優先度の変更を行う。
【００４４】
上述した通信端末装置３００によれば、制御部１０２が送信先のメールアドレスを取得した後に通信部１１０を通じて投稿記事１２０を取得する必要がない。したがって、短時間で変換辞書１１８の優先度の変更を完了することができ、使い勝手の向上を図ることができる。
【００４５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４６】
例えばステップＳ２００で取得するメールアドレスは、宛先１２４に入力されたものに限らず、Ｃｃ/Ｂｃｃ１２６に入力されたものであってもよい。送信先が複数ある場合には、その複数人の投稿記事１２０を取得して優先度を変更してよい。また本実施形態では送信先のメールアドレスを有するユーザの投稿記事１２０をアドレス帳１１４に記憶されたＵＲＬから取得するとしたが、例えばインターネット上で送信先のユーザについて（例えばユーザのメールアドレスを）検索し、そのユーザの投稿記事１２０が掲載されているＷｅｂページを見つけ投稿記事１２０を取得するとしてもよい。
【００４７】
また、上記実施形態では本発明を予測変換機能に適用する場合について説明したが、通常の文字列変換機能（入力された文字のみに基づいて文字列変換を行う機能）に対しても本発明を有効に適用することができる。
【産業上の利用可能性】
【００４８】
本発明は、文字列変換機能を有する通信端末装置に利用可能である。
【符号の説明】
【００４９】
１００、３００…通信端末装置、１０２…制御部（文字列変換部）、１０４…記憶部、１０６…操作部、１０８…表示部、１１０…通信部、１１２…バッテリ、１１４…アドレス帳、１１６…メールアプリ、１１８、２１８…変換辞書、１２０…投稿記事、１２２…変換候補ウィンドウ、１２４…宛先、１２６…Ｃｃ/Ｂｃｃ、１２８…件名、１３０…本文、２２０…優先度変更テーブル、３３２…投稿記事記憶部
【図１】
2013242682.tif 000003
【図２】
2013242682.tif 000004
【図３】
2013242682.tif 000005
【図４】
2013242682.tif 000006
【図５】
2013242682.tif 000007
【図６】
2013242682.tif 000008
【図７】
2013242682.tif 000009
【図８】
2013242682.tif 000010
【図９】
2013242682.tif 000011